(57)【特許請求の範囲】
【請求項１】
マイクロコンピュータより入力される表示データによりドットマトリクス型のＬＣＤを駆動し、前記ＬＣＤの濃度を設定するための電子ボリュームのデータを記憶する書き込み可能な不揮発記憶回路部を設けたＬＣＤドライバにおいて、
前記不揮発記憶回路部はＬＣＤドライバの昇圧回路からの電圧を共用することを特徴とするＬＣＤドライバ。
【請求項２】
マイクロコンピュータより入力される表示データによりドットマトリクス型のＬＣＤを駆動し、前記ＬＣＤの濃度を設定するための電子ボリュームのデータを記憶する書き込み可能な不揮発記憶回路部を設けたＬＣＤドライバにおいて、
前記不揮発記憶回路部はＥＥＰＲＯＭであり、ＬＣＤドライバの昇圧回路からの電圧を共用することを特徴とするＬＣＤドライバ。
【発明の詳細な説明】
【０００１】
【発明の属する技術分野】
本発明は別個に設けられたマイクロコンピュータ（以下「マイコン」という）から入力される表示データによりＬＣＤ（Ｌｉｑｕｉｄ  Ｃｒｙｓｔａｌ  Ｄｉｓｐｌａｙ）を駆動するＬＣＤドライバに関し、特にドットマトリクス型のＬＣＤを駆動するＬＣＤドライバに関する。
【０００２】
【従来の技術】
従来のＬＣＤドライバについて図６を用いて説明する。図６（ａ）に示すように従来のＬＣＤドライバ７３は例えば携帯電話のように装置全体を制御するマイコン７２とＬＣＤ７４を備えた装置においてマイコン７２とＬＣＤ７４の間に介在しており、マイコン７２からの表示データが入力されることによりＬＣＤ７４を駆動するものである。
【０００３】
装置の構成や用途等によって表示の濃淡を設定することができるように該装置には設定データを記憶するＥＥＰＲＯＭ（Ｅｌｅｃｔｒｉｃａｌｌｙ  Ｅｒａｓａｂｌｅ  Ｐｒｏｇｒａｍａｂｌｅ  Ｒｅａｄ  Ｏｎｌｙ  Ｍｅｍｏｒｙ）等の不揮発記憶装置７１が設けられている。該装置を組み立てるときにＬＣＤ７４の表示の濃度調整を行い、電子ボリュームの設定データを記憶装置７１に記憶する。
【０００４】
その後、上記装置を使用するときには図６（ｂ）に示すようにマイコン７２が記憶装置７１から設定データを読み込んでＬＣＤドライバ７３に出力することにより濃度設定が行われる。また、こうすることにより、ＬＣＤ７４の製造ばらつきによっても表示の際に濃淡のばらつきが発生することもなくなる。
【０００５】
【発明が解決しようとする課題】
しかしながら、電子ボリュームの設定データを外付けの記憶装置７１に記憶させていたため携帯電話等の装置を組み立て時の表示の濃度の調整作業が必要となるために組み立てるときに作業が増大していた。また、マイコン７２は記憶装置７１に記憶されている電子ボリュームの設定データを読み出してＬＣＤドライバ７３に出力する必要があるためにマイコン７２での処理が増大していた。
【０００６】
本発明は上記課題を解決するもので、携帯電話等の装置を組み立てるときに濃度を調整する作業を不要としたＬＣＤドライバを提供することを目的とする。また、マイコン７２で濃度設定の処理を行う必要のないＬＣＤドライバを提供することも目的とする。
【０００７】
【課題を解決するための手段】上記目的を達成するために本発明では、マイクロコンピュータより入力される表示データによりドットマトリクス型のＬＣＤを駆動し、前記ＬＣＤの濃度を設定するための電子ボリュームのデータを記憶する書き込み可能な不揮発記憶回路部を設けたＬＣＤドライバにおいて、前記不揮発記憶回路部はＬＣＤドライバの昇圧回路からの電圧を共用する構成とする。
【０００８】
このような構成では、駆動するＬＣＤが特定された段階で濃度調整を行い、電子ボリュームの設定データをＬＣＤドライバの不揮発記憶回路部に記憶することができるようになる。そのため、ＬＣＤドライバやマイコン等を用いて携帯電話等の装置を組み立てるときに濃度を調整する必要がなくなる。また、電子ボリュームの設定データを記憶する記憶装置を別個に設ける必要もない。
【０００９】
また、本発明では上記構成において、さらに前記不揮発記憶回路部をＥＥＰＲＯＭとしている。このような構成によると、ＬＣＤドライバは製造するときにＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）の製造工程に少しばかりの変更を加えることにより簡単にＥＥＰＲＲＯＭを１つのチップに組み込むことができるものとなる。また、ＬＣＤドライバに設けられている昇圧回路はＬＣＤを駆動するためとＥＥＰＲＯＭに書き込みを行うための両方に用いられるようにすることもできる。
【００１０】
【発明の実施の形態】
本発明の一実施形態について図１〜図５を用いて説明する。図１は本実施形態の構成を示すブロック図である。マイコン１は例えば携帯電話等の装置において装置全体を制御するものであり、スイッチ（図示せず）からの入力信号等によりデータをＬＣＤドライバ１０に出力してＬＣＤドライバ１０によってＬＣＤ１１に表示を行わせる。ＬＣＤドライバ１０は１つのチップで構成されており、マイコン１とは別個に設けられる。ＬＣＤ１１は白黒表示を行うドットマトリクス型のＬＣＤであり、各ドットの点灯の際にＬＣＤドライバ１０から入力される信号の電圧によって表示濃度が変化する。
【００１１】
ＬＣＤドライバ１０においてマイコン１からの表示データはインターフェース３でＬＣＤドライバ１０に入力される。そして、ＬＣＤドライバ１０に入力されたデータはデコーダやレジスタ等のロジック回路５で処理され、表示データＲＡＭ（Ｒａｎｄｏｍ  Ａｃｃｅｓｓ  Ｍｅｍｏｒｙ）６にＬＣＤ１１に記憶される。尚、ＬＣＤドライバ１０は内部処理中にはビジーフラグをマイコン１等に出力する。そして、ＲＡＭ６に記憶されているデータに基づいてセグメントドライバ９より後述するような波形の信号が生成される。一方、コモンドライバ８はロジック回路のみから成り、コモンドライバ８より一定の周期の信号が出力される。コモンドライバ８及びセグメントドライバ９より出力される信号はＬＣＤ１１に送られる。コモンドライバ８及びセグメントドライバ９には昇圧回路７より電圧が供給される。
【００１２】
ＬＣＤドライバ１０には電子ボリュームの設定データをＥＥＰＲＯＭ４に入力するための入力端子１２が設けられている。尚、電子ボリュームとは濃度設定のために昇圧回路７からコモンドライバ８とセグメントドライバ９に供給される電圧の基準となる電圧を可変する回路をいう。この設定データはＬＣＤドライバ１０の内部に設けられているＥＥＰＲＯＭ４に記憶されている。
【００１３】
電源投入検出回路１３は例えばスイッチ動作する素子を用いて電源投入を検出する回路であり、ＬＣＤドライバ１０に電源が投入されるとＥＥＰＲＯＭ４に信号を送る。これにより、ＥＥＰＲＯＭ４から電子ボリュームの設定データが昇圧回路７に送られ、その設定データに基づいて設定された電圧がコモンドライバ８とセグメントドライバ９に供給される。また、昇圧回路７より出力される電圧はＥＥＰＲＯＭ４に記憶されているデータを消去するときにも使用される。
【００１４】
本実施形態のＬＣＤドライバ１０を用いることにより、ＬＣＤ１１とＬＣＤドライバ１０を組み合わせたＬＣＤモジュールのようにＬＣＤ１１との組み合わせが特定された段階で予め濃度調整を行って電子ボリュームの設定データをＥＥＰＲＯＭ４に記憶することができる。そのため、上記従来のＬＣＤドライバ７３（図６参照）では必要となっていたマイコン１から設定データをＬＣＤドライバ１０の送る処理が不要となる。電子ボリュームは例えば６ビットのデータであり、この場合には６４階調で濃度の調整が行われる。尚、発振回路２は表示のタイミングをとるための信号等を生成するために使用される。
【００１５】
昇圧回路７の一例の回路図を図２に示す。ＥＥＰＲＯＭ４から電子ボリュームの設定データが電子ボリューム制御回路５１に入力され、制御回路５１は基準電圧生成回路５０で生成される電圧を制御する。演算増幅器５２の正相入力端子（＋）は基準電圧生成回路５０を介して電源電圧ＶＤＤに接続される。演算増幅器５２の逆相入力端子（−）は抵抗Ｒ１を介して電源電圧ＶＤＤに接続される。演算増幅器５２の出力側は抵抗Ｒ２を介して逆相入力端子（−）に帰還している。
【００１６】
演算増幅器５２の出力側と電源電圧ＶＤＤの間には直列に接続された抵抗Ｒ３、Ｒ４・・・Ｒ７が挿入されている。抵抗Ｒ３、Ｒ４・・・Ｒ７の各接続中点よりバッファ５４、５５、５６、５７を介してそれぞれ電圧Ｖ１、Ｖ２、Ｖ３、Ｖ４が出力される。電源電圧ＶＤＤもバッファ５３を介して昇圧回路７より出力される。演算増幅器５２の出力もバッファ５８を介して電圧Ｖ５として出力される。このように、ＥＥＰＲＯＭ４に記憶されている設定データにより設定された５段階の電圧Ｖ１〜Ｖ５が昇圧回路７よりコモンドライバ８及びセグメントドライバ９に出力される。
【００１７】
次に基準電圧生成回路５０での基準電圧の生成について説明する。図３に基準電圧生成回路５０の近辺の回路の一例を示す。電源電圧ＶＤＤとＶＳＳの間には直列に接続された７個の抵抗Ｒ１０、Ｒ１１・・・Ｒ１６が挿入され、抵抗Ｒ１５とＲ１６の接続中点が演算増幅器５２の正相入力端子（＋）に接続される。各抵抗Ｒ１０〜Ｒ１５にはそれぞれ並列となるように６個のＦＥＴ（Ｆｉｅｌｄ  ＥｆｆｅｃｔＴｒａｎｓｉｓｔｏｒ）６０〜６５が接続される。
【００１８】
ＦＥＴ６０〜６５の各ゲートは電子ボリューム制御回路５１に接続されており、制御回路５１によりＦＥＴ６０〜６５はオン／オフ制御される。ＦＥＴ６０〜６５のオン／オフの状態が変わることにより演算増幅器５２に入力される電圧が変わるように抵抗Ｒ１０〜Ｒ１５の抵抗値は互いに異なるようにしてある。ＥＥＰＲＯＭ４にはＦＥＴ６０〜６５のオン／オフの状態を示すデータが記憶されている。
【００１９】
電源電圧ＶＤＤ及び昇圧回路７より出力される電圧Ｖ１〜Ｖ５を用いてコモンドライバ８とセグメントドライバ９より出力される信号の一例を図４に示す。図４に示される各信号の波形は、ＬＣＤ１１（図１参照）の一部に図５に示すような表示を行う場合の波形である。信号ＦＲは発振回路２より出力される周期Ｔの信号であり、表示タイミングの同期をとるために使用される。
【００２０】
ＣＯＭ０、ＣＯＭ１・・・はコモンドライバ８より出力される信号であり、ＳＥＧ０、ＳＥＧ１・・・はセグメントドライバ９より出力される信号である。ＳＥＧ０−ＣＯＭ０はＬＣＤ１１のＳＥＧ０とＣＯＭ０の交点に印加される電圧を示す。ＳＥＧ１−ＣＯＭ０はＬＣＤ１１のＳＥＧ１とＣＯＭ０の交点に印加される電圧を示す。尚、本図では電源電圧ＶＤＤを基準値（０Ｖ）としている。
【００２１】
ＣＯＭ０、ＣＯＭ１・・・は周期Ｔでコモンドライバ８より出力される。また、ＣＯＭ０、ＣＯＭ１・・・は時間ｔずつ選択点がずれるようにした波形となる。ＳＥＧ０、ＳＥＧ１・・・は表示のパターンによって変化し、例えばＳＥＧ０では期間２０では電源電圧ＶＤＤとなっており、図５に示すＳＥＧ０においてＣＯＭ０、ＣＯＭ１、ＣＯＭ３との交点の点灯表示のパターンに対応している。期間２１では電圧Ｖ５となり、対称的な波形となる。ＳＥＧ１では期間２２では電源電圧ＶＤＤとなり、次の期間２３では電圧Ｖ２となり、その次に期間２４では電源電圧ＶＤＤとなっている。
【００２２】
これにより、ＳＥＧ０−ＣＯＭ０に示すようにＳＥＧ０とＣＯＭ０の交点には期間２５で電圧Ｖ５が印加され、その後、電圧ＶＤＤ付近を推移する。そして、期間２６で電圧−Ｖ５が印加され、その後、再び電圧ＶＤＤ付近を推移する。表示パターンに変更がなければこの波形は周期Ｔで繰り返される。また、その半周期ごとにその交点が選択され、印加される電圧の向きが逆転するようにしている。このようにするのは、ＬＣＤ１１の液晶に印加される電圧の直流成分を打ち消して液晶の劣化を防止するためである。
【００２３】
ＳＥＧ１−ＣＯＭ０では期間２７で電圧Ｖ５となり、その後、電圧ＶＤＤ付近を推移する。そして、期間２８で電圧−Ｖ５となる。その後、電圧ＶＤＤ付近を推移する。これもＳＥＧ０−ＣＯＭ０の場合と同様に点灯表示する。尚、ＳＥＧ１とＣＯＭ１の交点のように点灯されない点では、図示しないが上述のＳＥＧ１とＣＯＭ１よりＳＥＧ１−ＣＯＭ１を求めると分かるように電圧Ｖ５や−Ｖ５が印加されず非点灯となる。このようにして、周期Ｔで全交点が選択される。
【００２４】
以上説明したように本実施形態では、電源が投入された時にＥＥＰＲＯＭ４に記憶されている電子ボリュームの設定データによって昇圧回路７より出力される電圧Ｖ１〜Ｖ５が設定され、この電圧によりコモンドライバ８及びセグメントドライバ９からＬＣＤ１１に供給される信号の電圧も設定される。このようにＬＣＤ１１の表示濃度の設定が行われる。
【００２５】
したがって、マイコン１から電子ボリュームの設定データをＬＣＤドライバ１０に出力する必要がないので上記従来のＬＣＤドライバ７３（図６参照）に比べてマイコン１での処理が軽減されることになる。また、ＬＣＤドライバ１０とＬＣＤ１１をＬＣＤモジュールとして組み合わせた段階で予め濃度調整をすることができるので、このＬＣＤモジュールとマイコン１等の部品を用いて携帯電話等の装置を組み立てるときには濃度の調整作業が不要となる。万が一調整作業が必要となっても端子１２から設定データをＬＣＤドライバ１０に入力することができる。
【００２６】
また、上記従来のＬＣＤドライバ７３では図６に示すように電子ボリュームの設定データを記憶する記憶装置７１が必要であったが、本実施形態では不要であるので回路全体の規模を縮小することができるため携帯電話等の装置の小型化にも寄与することができる。昇圧回路７はコモンドライバ８、セグメントドライバ９のために用いられるだけでなくＥＥＰＲＯＭ４に記憶されているデータを書き換えるときにも使用されているので回路が有効に利用されて回路の増大をもたらさない。ＥＥＰＲＯＭ４もＣＭＯＳの製造工程でわずかに変更を加えるだけで１つのチップに簡単に組み込むことができる。
【００２７】
尚、ＥＥＰＲＯＭ４から設定データ４を出力するタイミングは電源投入時に限らず、例えばマイコン１からのデータ入力により表示を開始する時点としてもよい。また、本実施形態では図２に示すように昇圧回路７から５段階の電圧Ｖ１〜Ｖ５が出力されていたが、その段数は５に限定されない。５以外の段数では、当然、コモンドライバ８とセグメントドライバ９より出力される信号は図４と異なる波形となる。また、基準電圧生成回路５０は図３に示す例では抵抗分割を利用したものであったが、他にも例えば定電圧ダイオードを用いた構成の回路としてもよいし、定電圧回路を用いることもできる。同じく、ＥＥＰＲＯＭ４の部分も強誘電体メモリ等の書き込み可能な不揮発記憶回路部としてもよい。電子ボリュームの設定データは６ビットに限らずに必要となる階調に合わせてビット数を変更してもよい。
【００２８】
【発明の効果】
上述のように本発明によれば、ＬＣＤドライバに電子ボリュームの設定データを記憶する不揮発記憶回路部が設けられているので、ＬＣＤと組み合わせてＬＣＤモジュールとした段階で濃度調整を行うことができる。そのため、携帯電話等を組み立てるときには濃度を調整する作業を行わなくてもよい。また、上記設定データを記憶する記憶装置を別個に設ける必要がないので回路規模を縮小することができ、携帯電話等の装置の小型化を図ることもできる。このマイコンでは濃度設定データをＬＣＤドライバに出力する処理が不要となるのでマイコンでの処理が軽減される。
【００２９】
さらに、ＬＣＤドライバを製造するときにＣＯＭＳの製造工程にわずかに変更を加えることにより簡単にＥＥＰＲＯＭを１つのチップに組み込むことができる。ＥＥＰＲＯＭにはデータ書き換え用に昇圧回路が必要となるが、ＬＣＤドライバで設けられている昇圧回路を共用しているので回路を有効に利用することができる。
【図面の簡単な説明】
【図１】本発明の一実施形態のブロック図。
【図２】その昇圧回路の近辺の回路図。
【図３】その基準電圧生成回路の近辺の回路図。
【図４】そのＬＣＤドライバより出力される信号の一例の波形図。
【図５】そのＬＣＤでの表示パターンを示す図。
【図６】従来のＬＣＤドライバを組み込んだ装置のブロック図。
【符号の説明】
１    マイコン
２    発振回路
３    インターフェース
４    ＥＥＰＲＯＭ
５    ロジック回路
６    ＲＡＭ
７    昇圧回路
８    コモンドライバ
９    セグメントドライバ
１０    ＬＣＤドライバ
１１    ＬＣＤ
５０    基準電圧発生回路
５１    電子ボリューム制御回路
５２    演算増幅器
５３〜５８    バッファ
６０〜６５    ＦＥＴ
Ｒ１〜Ｒ１６    抵抗
【図１】
0003554135.tif 000002
【図２】
0003554135.tif 000003
【図３】
0003554135.tif 000004
【図４】
0003554135.tif 000005
【図５】
0003554135.tif 000006
【図６】
0003554135.tif 000007